(57)【要約】【課題】デジタル字幕データのない素材データや、デジタル字幕データ付き素材データに、容易にデジタル字幕データを追加、編集することのできる番組バンクシステムの実現。【解決手段】少なくとも動画素材を編集して送出するバンクシステムにおいて、バンクシステム内のマトリックススイッチャのリエントリー系統にデジタル字幕インサータを導入し、デジタル字幕インサータで、マトリックススイッチャのリエントリー系統を介して入力した、字幕データの入っていない素材データにデジタル字幕重畳装置からのデジタル字幕データの重畳及びデジタル字幕データの重畳された素材データにおけるデジタル字幕データの編集の少なくとも一方の処理を、バンクシステム内の登録コントローラの内部時計に同期した字幕重畳タイミングに基づき行い、デジタル字幕データの重畳された素材データをマトリックススイッチャを介しビデオサーバに収録する構成としたバンクシステム。【選択図】  図１
2008294494.tif 000002
【特許請求の範囲】
【請求項１】
少なくとも動画素材を編集して送出するバンクシステムにおいて、該バンクシステム内のマトリックススイッチャのリエントリー系統にデジタル字幕インサータを導入し、上記デジタル字幕インサータで、上記マトリックススイッチャのリエントリー系統を介して入力した、字幕データの入っていない素材データにデジタル字幕重畳装置からのデジタル字幕データの重畳およびデジタル字幕データの重畳された素材データにおけるデジタル字幕データの編集の少なくとも一方の処理を、上記バンクシステム内の登録コントローラの内部時計に同期した字幕重畳タイミングに基づき行い、デジタル字幕データの重畳された素材データを上記マトリックススイッチャを介してビデオサーバに収録する構成としたことを特徴とするバンクシステム。
【発明の詳細な説明】
【技術分野】
【０００１】
本発明は、ＣＭ、番組、ＶＡＦ(Video Audio Filing)などの動画および静止画素材をビデオサーバに収録するシステムにおいて、デジタル字幕データが入っていない素材データへのデジタル字幕データの重畳、もしくはあらかじめ重畳されているデジタル字幕データの編集に関するものである。
【背景技術】
【０００２】
図３は、番組バンクシステムにおける従来の素材登録系統図である。従来のＣＭ、番組、ＶＡＦなどの動画および静止画素材をビデオサーバに収録するバンクシステムには、バンクシステム内に字幕重畳システムが導入されておらず、デジタル字幕データの重畳された素材データをビデオサーバに収録するしかなかった。即ち、バンク登録コントローラ４の制御により、ＶＴＲ１等からデジタル字幕データの重畳された素材データをマトリックススイッチャ２を介してビデオサーバ３に収録するしかなかった。
【特許文献１】特開平１０-２７１３９２号公報
【発明の開示】
【発明が解決しようとする課題】
【０００３】
そのため、従来の番組バンクシステム内において、デジタル字幕データが入っていない素材データにデジタル字幕データを重畳することや、あらかじめ重畳されているデジタル字幕データの編集ができず、緊急にデジタル字幕データを差し替える必要が生じた場合、対応が取れなかった。
例えば、外国映画やアニメなどをファイリングした素材のプレビュー時、既に重畳されているデジタル字幕に放送禁止用語や各放送局のトラフィックルールに基づいた使用禁止用語などの不適切な表現があった場合、
１）字幕データの作成元にマスターテープを送り返す、２）作成元でテープを作り直す、３）再び放送局にマスターテープを送る、４）放送局の登録卓で再ファイリングをする、５）収録素材のプレビュー作業を行う、といった手順が発生する。
従って、放送日まで時間のない素材については、放送予定を変更し別の素材に差し替える必要があり、それによって番宣素材(ＣＭ)の差し替えも同時に必要になってくるため、字幕重畳の業務担当にとって作業量の増加が発生することになる。
また、字幕重畳システム単体としてＶＴＲからのタイムコードを必要とする場合が多く、通常それはＶＴＲのリモートコネクタから取得する。ここで、番組バンクシステムとしても、ＶＴＲ制御を行うためにリモートコネクタを使用するので、リモートコネクタの使用を双方で取り合う形となり、実現には至らなかった。
本発明はこれらの欠点を除去し、デジタル字幕データの入っていない素材データや、既にデジタル字幕データが重畳されている素材データに対し、容易にデジタル字幕データを追加、編集することのできる番組バンクシステムの実現を目的とする。
【課題を解決するための手段】
【０００４】
本発明は上記目的を達成するため、少なくとも動画素材を編集して送出するバンクシステムにおいて、該バンクシステム内のマトリックススイッチャのリエントリー系統にデジタル字幕インサータを導入し、上記デジタル字幕インサータで、上記マトリックススイッチャのリエントリー系統を介して入力した、字幕データの入っていない素材データにデジタル字幕重畳装置からのデジタル字幕データの重畳およびデジタル字幕データの重畳された素材データにおけるデジタル字幕データの編集の少なくとも一方の処理を、上記バンクシステム内の登録コントローラの内部時計に同期した字幕重畳タイミングに基づき行い、デジタル字幕データの重畳された素材データを上記マトリックススイッチャを介してビデオサーバに収録する構成としたバンクシステムである。
【発明の効果】
【０００５】
本発明によればリエントリー系統に字幕インサータを導入する事で、複数のＶＴＲからデジタル字幕重畳を行なう事が出来る。
また、登録コントローラの内部時計を利用する事で、ＶＴＲからのタイムコードを必要としない字幕重畳方式が実現でき、さらにはビデオサーバに収録済みの素材データに対し、字幕データを新規追加、および字幕データの編集が可能となる。
【発明を実施するための最良の形態】
【０００６】
以下、本発明の一実施例について、図１、図２を用いて詳細に説明する。図１は本発明の番組バンクシステムにおける字幕重畳機能を追加した素材登録系統構成を示すブロック図である。
１．まず、マトリックススイッチャ２のリエントリー系統に導入した字幕インサータ６で、ＶＴＲ１からの字幕なし素材データに、登録コントローラ４を介した字幕データ７を重畳し、その信号を再びマトリックススイッチャ２に戻しビデオサーバ３へ登録を行う構成、動作について説明する。
１）図１に示すバンクシステムのマトリクススイッチャ２のリエントリールートにデジタル字幕インサータ６を追加する。
２）登録／プレビュー端末５から、デジタル字幕を重畳したい素材データの収録されたＶＴＲ１を選択する。
（３）登録／プレビュー端末５から登録コントローラ４を介し、ＶＴＲ１の再生、マトリクススイッチャ２、ビデオサーバ３などの制御を行い、映像・音声系統を接続する。
４）登録／プレビュー端末５の字幕データ追加編集画面(図示せず)を使用し、ＮＡＢ及びＡＲＩＢフォーマットの重畳したい字幕データ７を登録／プレビュー端末５で読込み、登録コントローラ４を介してデジタル字幕インサータ６に入力する。
５）次に、入力した字幕データのＯＮおよびＯＦＦ位置を、素材データの頭出しを行い決定する。
６）上記４）、５）を繰り返し行い、重畳する字幕内容と字幕データのＯＮおよびＯＦＦの位置を確定する。
７）その後、登録コントローラ４から字幕インサータ６へシリアルインターフェースを経由して字幕データ７を転送し、字幕補助データを生成する。
８）ビデオサーバ３への収録を開始するとき、ＶＴＲ１から再生されたＳＤＩ信号の素材データが、マトリクススイッチャ２を通ってデジタル字幕インサータ６に入力され、登録コントローラ４を介して入力された字幕データ７と重畳される。
９）デジタル字幕インサータ６でデジタル字幕が重畳された素材データは、再びマトリクススイッチャ２を通って、ビデオサーバ３のデコーダに入力され、字幕付き素材データとして、ファイリングが行われる。
１０）そして、登録／プレビュー端末５において、デジタル字幕データが正常に重畳されているか確認する。
【０００７】
２．次に、マトリックススイッチャ２のリエントリー系統に導入した字幕インサータ６で、ビデオサーバ３に収録された字幕なし素材データと登録コントローラ４を介した字幕データ７を重畳し、あるいは既に重畳されている字幕データを追加、編集し、その信号を再びマトリックススイッチャ２に戻しビデオサーバ３へ再登録を行う構成、動作について説明する。
１）図１に示すバンクシステムのマトリクススイッチャ２のリエントリールートにデジタル字幕インサータ６を追加する。
２）登録／プレビュー端末５から、デジタル字幕を重畳、追加編集したい素材データの収録されたＶＴＲ１を選択する。
（３）登録／プレビュー端末５から登録コントローラ４を介し、ＶＴＲ１の再生、マトリクススイッチャ２、ビデオサーバ３などの制御を行い、映像・音声系統を接続する。
４）登録／プレビュー端末５の字幕データ追加編集画面(図示せず)を使用し、ＮＡＢ及びＡＲＩＢフォーマットの重畳、追加編集したい字幕データ７を登録／プレビュー端末５で読込み、登録コントローラ４を介してデジタル字幕インサータ６に入力する。
５）次に、入力した字幕データのＯＮおよびＯＦＦ位置を、ビデオサーバ３に収録された素材データの頭出しを行い決定する。
６）上記４）、５）を繰り返し行い、追加もしくは編集した字幕内容と字幕データのＯＮおよびＯＦＦの位置を確定する。
７）一部の字幕データのみを編集した場合、その字幕データが入っている本編イベントデータの先頭位置に、ビデオサーバ３内の素材データを頭出しする。字幕データがない素材データに対して、新規で字幕データを重畳する場合は、ビデオサーバ３内の素材データの先頭位置に頭出しを行う。
８）その後、登録コントローラ４から字幕インサータ６へシリアルインターフェースを経由して字幕データ７を転送し、字幕補助データを生成する。
９）ビデオサーバ３から再生された素材データが、マトリクススイッチャ２を通って、デジタル字幕インサータ６に入力され、登録コントローラ４を介して入力された字幕データ７と重畳される。
１０）デジタル字幕インサータ６でデジタル字幕が重畳された素材データは、再びマトリクススイッチャ２を通って、ビデオサーバ３のデコーダに入力され、字幕付き素材データ(別の素材データ)として、ファイリングが行われる。
１１）そして、登録／プレビュー端末５において、デジタル字幕データが正常に重畳されているか確認する。
【０００８】
ここで、字幕データのタイムコードと字幕重畳タイミングの同期方式について、図２のタイムチャートを用いて説明する。
１）事前にＶＴＲ１を再生させるタイムコードと字幕データの重畳を開始するタイムコードとの差分時間(例えば、本実施例では４秒)、及び字幕データ間のタイムコードの差分時間(例えば、本実施例では１秒)をバンクシステム内部(例えば、登録コントローラ４)で保持しておく。
２）そして、実際の素材収録時には、例えば、時刻(9:59:57:00)にＶＴＲ１をスタート制御してから、上記差分(４秒)を登録コントローラ４の内部時計でカウントした時刻(10:00:01:00)に、字幕データａの重畳を開始し、１秒後の時刻(10:00:02:00)に、字幕データａの重畳を終了する。
３）そして、上記差分(１秒)後の時刻(10:00:03:00)に、字幕データｂの重畳を開始し、１秒後の時刻(10:00:04:00)に、字幕データａの重畳を終了する。以後、字幕重畳タイミングに合わせ、上記２）、３）の処理を繰り返し行う。
以上のように、登録コントローラ４で字幕重畳の制御を行なうことにより、素材と字幕データのタイムコードを同期させる仕組みである。
【図面の簡単な説明】
【０００９】
【図１】本発明の番組バンクシステムの一実施例の構成を示すブロック図
【図２】本発明の番組バンクシステムにおける素材と字幕データの重畳タイミングを説明する図
【図３】従来の番組バンクシステムの一例の構成を示すブロック図
【符号の説明】
【００１０】
１：ＶＴＲ、２：マトリックススイッチャ、３：サーバ、４：バンク登録コントローラ、５：登録／プレビュー端末、６：デジタル字幕インサータ、７：字幕データ。
【図１】
2008294494.tif 000003
【図２】
2008294494.tif 000004
【図３】
2008294494.tif 000005